(57)【要約】【課題】便座支持部材を浮上又は下降させる操作と便座を起立又は倒状させる動作とを関連づけられており、便座支持部材の下側領域の清掃時に清掃作業者に要求される作業工数が少なくて済む便器設備を提供する。【解決手段】便座３ｅ及び便蓋３ｆが起倒方向回動自在に取り付けられている便座支持部材２のフロントベースプレート３ａに開閉ユニット１３及び温水洗浄ノズル１０，１１が設置されている。リアベースプレート４ａに浮上ユニット２０が設けられている。便座支持部材２が浮上した状態にあるときに便座３ｅを倒すと、便座支持部材２が自動的に降下する。便座支持部材２を浮上させると、便座３ｅ及び便蓋３ｆが自動的に起立する。浮上後、所定時間経過すると、便座支持部材２が自動的に下降する。【選択図】　図２
2004084325.tif 000002
【特許請求の範囲】
【請求項１】
便器本体と、
該便器本体に設けられた便座支持部材と、
該便座支持部材に起倒可能に支持された便座と、
該便座支持部材を昇降させる昇降装置と、
を有する便器設備において、
該便座支持部材が上昇した状態にあるときに該便座が倒状された場合に該便座支持部材を下降させる手段を備えたことを特徴とする便器設備。
【請求項２】
便器本体と、
該便器本体に昇降可能に設けられた便座支持部材と、
該便座支持部材に起倒可能に支持された便座と、
を有する便器設備において、
該便座支持部材の上昇時に便座を起立させる手段を備えたことを特徴とする便器設備。
【請求項３】
便器本体と、
該便器本体に設けられた便座支持部材と、
該便座支持部材に起倒可能に支持された便座と、
該便座支持部材を昇降させる昇降装置と、
を有する便器設備において、
該便座支持部材の下降時に便座を倒状させる手段を備えたことを特徴とする便器設備。
【請求項４】
便器本体と、
該便器本体に設けられた便座支持部材と、
該便座支持部材に起倒可能に支持された便座と、
該便座支持部材を昇降させる昇降装置と、
を有する便器設備において、
該便座支持部材が上昇した後、所定時間が経過すると便座支持部材を自動的に下降させる手段を備えたことを特徴とする便器設備。
【請求項５】
請求項４において、前記便座支持部材を下降させるための、人によって操作される下降スイッチが設けられており、
該下降スイッチが操作されることにより該便座支持部材が下降するときの下降速度に比べ、前記自動的に下降するときの下降速度の方が小さいことを特徴とする便器設備。
【発明の詳細な説明】
【０００１】
【発明の属する技術分野】
本発明は、便座支持部材を昇降させる機構を備えた便器設備に関する。
【０００２】
【従来の技術】
洋風便器の上面に設置された便座は、便座支持部材を介して洋風便器に対し俯仰方向に回動自在に取り付けられている。
【０００３】
この便座支持部材と洋風便器上面との間に尿などの汚れが染み込んで臭気の原因となり易い。そこで、便座支持部材を洋風便器に対し上下動可能とし、洋風便器の清掃時に便座支持部材を便座と共に上方に移動（浮上）させるようにしたものが提案されている（特開２０００−３３０５１号公報）。
【０００４】
また、特開２０００−１０４３０７号公報には、スイッチ操作により便座支持部材を昇降させることが記載されている。
【０００５】
【特許文献１】
特開２０００−３３０５１号公報
【特許文献２】
特開２０００−１０４３０７号公報
【０００６】
【発明が解決しようとする課題】
本発明は、便座支持部材を浮上させたり降下させたりする際の人の作業内容が簡易である便器設備を提供することを目的とする。
【０００７】
【課題を解決するための手段】
本発明（請求項１）の便器設備は、便器本体と、該便器本体に設けられた便座支持部材と、該便座支持部材に起倒可能に支持された便座と、該便座支持部材を昇降させる昇降装置と、を有する便器設備において、該便座支持部材が上昇した状態にあるときに該便座が倒状された場合に該便座支持部材を下降させる手段を備えたことを特徴とするものである。
【０００８】
かかる便器設備にあっては、浮上状態にある便座支持部材の便座を倒状させると、便座支持部材が自動的に下降する。そのため、便座支持部材を浮上させて清掃した後、便座を倒状させると、便座支持部材が便器本体上に据え付けられ且つ便座が便器本体上に重なっている便器使用可能状態に復帰する。即ち、清掃終了後に、便座支持部材を下降させるためのスイッチ操作を行うことなく、便器設備を使用可能状態に復帰させることができる。
【０００９】
本発明（請求項２）の便器設備は、便器本体と、該便器本体に昇降可能に設けられた便座支持部材と、該便座支持部材に起倒可能に支持された便座と、を有する便器設備において、該便座支持部材の上昇時に便座を起立させる手段を備えたことを特徴とするものである。
【００１０】
かかる便器設備にあっては、便座支持部材を上昇させる時には便座が自動的に起立する。従って、清掃のために便座支持部材を上昇させる操作を行うだけで便座も自動的に起立するので、清掃作業者が便座を起立させる動作を行うことが不要となる。
【００１１】
本発明（請求項３）の便器設備は、便器本体と、該便器本体に設けられた便座支持部材と、該便座支持部材に起倒可能に支持された便座と、該便座支持部材を昇降させる昇降装置と、を有する便器設備において、該便座支持部材の下降時に便座を倒状させる手段を備えたことを特徴とするものである。
【００１２】
かかる便器設備にあっては、便座支持部材を下降させる操作を行うと、便座も自動的に倒状するので、便座支持部材の下降操作を行うだけで便器設備を使用可能状態に復帰させることができる。
【００１３】
本発明（請求項４）の便器設備は、便器本体と、該便器本体に設けられた便座支持部材と、該便座支持部材に起倒可能に支持された便座と、該便座支持部材を昇降させる昇降装置と、を有する便器設備において、該便座支持部材が上昇した後、所定時間が経過すると便座支持部材を自動的に下降させる手段を備えたことを特徴とするものである。
【００１４】
かかる便器設備にあっては、清掃のために便座支持部材を浮上させた場合、その後所定時間が経過すると自動的に便座支持部材が下降するので、清掃作業者が便座支持部材を下降させることを忘れても、便器設備は自動的に使用可能状態に復帰することになる。
【００１５】
このように便座支持部材が自動的に下降する場合、その下降速度を便座支持部材がスイッチ操作によって下降するときの下降速度よりも小さくしてもよい（請求項５）。即ち、自動的下降は人の操作に因らずして実行される作動であるため、この自動下降時に便座支持部材の下側に清掃用具が置かれたままになっている可能性がある。便座支持部材がゆっくりと下降するならば、便座支持部材が予期せずに下降を開始しても、慌てることなく清掃用具を便座支持部材の下側から取り除くことができる。
【００１６】
【発明の実施の形態】
以下、図面を参照して実施の形態について説明する。図１は実施の形態に係る便器設備の側面図であり、（ａ）図は便座支持部材の浮上前、（ｂ）図は便座支持部材の浮上後の状態を示している。図２は、この便器設備の斜視図である。
【００１７】
陶器製の洋風便器本体１の後部上面に便座支持部材２が昇降可能に設置されており、この便座支持部材２に便座３ｅ及び便蓋３ｆが起倒方向回動自在に取り付けられている。
【００１８】
この実施の形態では、便座支持部材２は、前部に配置された昇降可能なフロントベースプレート３ａと、無底箱状の合成樹脂製のカバー３ｄとによって外殻が形成されている。このフロントベースプレート３ａに、人体臀部を温水で洗浄するための温水洗浄ノズル１０，１１及びモータ駆動式温水切替弁装置１２が設置されている。また、このフロントベースプレート３ａの底面には、便座支持部材２が浮上したときにその下側領域Ｓを照らすための照明３ｇが設けられている。この照明３ｇとしてはＬＥＤが好適であるが、これに限定されない。
【００１９】
また、このフロントベースプレート３ａ上には、便座３ｅ及び便蓋３ｆを開閉させる電動開閉ユニット１３、人体臀部に向けて温風を吹き出してその乾燥を行う温風ファン１４、便鉢内から臭気を含んだ空気を吸引して脱臭する脱臭ファン１５及び脱臭カートリッジ１６が設けられている。カバー３ｄには、便器本体１に近づいたり着座した人体を検知するための人体検知センサ１７，１８が設けられている。
【００２０】
便器本体１の最後部上面には、カバー３ｄの後部側が上方から被さるようにリアベースプレート４ａが設けられている。このリアベースプレート４ａには、前記温水洗浄ノズルへ温水を供給するためのヒータ付き温水タンク４ｂ（図１にのみ図示）、便座支持部材２を押し上げたり、降下させたりするためのモータ駆動式浮上ユニット２０、ヒータ及び電動ファンよりなる部屋暖房ファン２１、電源基板２２、開閉ユニット１３用制御回路基板２３、便鉢やトラップ部へ水を供給するためのバルブユニット２４等が設けられている。
【００２１】
この温水洗浄機構等は、トイレルームの壁面に取り付けられたリモコンによって操作される。このリモコンには、浮上ユニット２０を浮上動作させるための浮上スイッチと、浮上ユニット２０を下降動作させるための下降スイッチとが設けられている。
【００２２】
この便器設備の作動について次に説明する。
【００２３】
浮上スイッチを操作すると、浮上ユニット２０が便座支持部材２のフロントベースプレート３ａを所定高さまで押し上げ、その状態に停止させる。また、便座支持部材２が上昇すると、照明３ｇが点灯する。これにより、浮上した便座支持部材２の前部の下側スペース（下側領域）Ｓが照明される。このように下側領域Ｓが明るく照らされるので、該下側領域Ｓに臨む便器本体の上面や、フロントベースプレート３ａの下面等を容易に清掃することができる。
【００２４】
この実施の形態にあっては、該便座支持部材２のフロントベースプレート３ａが上昇した状態にあるときに便座３ｅが倒状された場合に、浮上ユニット２０は該フロントベースプレート３ａを下降させるように作動する。
【００２５】
そのため、フロントベースプレート３ａを浮上させて清掃した後、便座３ｅを倒状させると、便座支持部材２が洋風便器本体１上に据え付けられ且つ便座３ｅが洋風便器本体１上に重なっている便器使用可能状態に復帰する。これにより、清掃終了後に、便座支持部材を下降させるためのスイッチ操作を行うことなく、便器設備を使用可能状態に復帰させることができる。
【００２６】
また、この実施の形態にあっては、開閉ユニット１３は、浮上スイッチの操作に伴って上昇する時に便座３ｅを起立させるよう作動する。便座３ｅの起立は、フロントベースプレート３ａの上昇の前、上昇の途中及び上昇の後のいずれでもよい。従って、便座支持部材２を上昇させるように浮上スイッチを操作するだけで便座３ｅ及び便蓋３ｆも自動的に起立するので、清掃作業者が便座３ｅ及び便蓋３ｆを起立させる動作を行うことが不要となる。
【００２７】
本発明では、該便座支持部材２の下降時に便座３ｅ及び便蓋３ｆを倒状させるように開閉ユニット１３を動作させてもよい。
【００２８】
このように構成した場合にあっては、便座支持部材２を下降させるように下降スイッチを操作すると、便座３ｅ及び便蓋３ｆも自動的に倒状するので、下降スイッチ操作を行うだけで便器設備を使用可能状態に復帰させることができる。
【００２９】
本発明では、該便座支持部材２のフロントベースプレート３ａが上昇した後、下側領域Ｓの清掃を行うのに要する程度の所定時間（例えば３〜６分）が経過するとフロントベースプレート３ａを自動的に下降させるように浮上ユニット２０を動作させてもよい。
【００３０】
このように、浮上後に所定時間が経過すると自動的に便座支持部材２が下降するように構成した場合、清掃作業者が下降スイッチ操作を忘れても、便器設備は自動的に使用可能状態に復帰することになる。
【００３１】
このように便座支持部材２が自動的に下降する場合、その下降速度をリモコンの下降スイッチ操作によって下降するときの下降速度よりも小さくしてもよい。このように、自動的下降便座支持部材２がゆっくりと下降するならば、便座支持部材２が予期せずに下降を開始しても、慌てることなく清掃用具等を便座支持部材２の下側から取り除くことができる。
【００３２】
上記実施の形態では、電動式の浮上ユニット２０を採用しているが、請求項２の発明では手動によって便座支持部材を昇降させてもよい。この場合、便座支持部材の留め部材のロックを外すと便座及び便蓋が起立するようにロック解除検出手段と開閉ユニット１３とを関連付けてもよい。
【００３３】
【発明の効果】
以上の通り、本発明によると、便座支持部材を浮上又は下降させる操作と便座を起立又は倒状させる動作とを関連づけており、便座支持部材の下側領域の清掃時に清掃作業者に要求される作業工数が少なくて済むようになる。
【図面の簡単な説明】
【図１】実施の形態に係る便器設備の側面図である。
【図２】図１の便器設備の斜視図である。
【符号の説明】
１　便器本体
２　便座支持部材
３ａ　フロントベースプレート
３ｅ　便座
３ｆ　便蓋
１３　開閉ユニット
１７，１８　人体検知センサ
２０　浮上ユニット
【図１】
2004084325.tif 000003
【図２】
2004084325.tif 000004